(57)【特許請求の範囲】
【請求項１】
複数の需要家を含む需要家群において蓄電地および発電装置の双方を所有する所定の前記需要家の売電タイミングを決定する売電タイミング最適制御システムであって、
前記需要家群が所有する複数の前記蓄電池各々の蓄電量を取得する蓄電量取得部と、
前記需要家群の電力需要量の総和を予測する需要家群需要量予測部と、
取得された前記蓄電量に基づいて、前記需要家群が供給可能な電力量の総和を予測する需要家群電力供給量予測部と、
予測される前記需要量の総和と、前記需要家群において予測される前記電力供給可能量の総和と、に基づいて、前記所定の需要家の売電タイミングを決定するタイミング決定部と、
を備えた、売電タイミング最適制御システム。
【請求項２】
前記タイミング決定部は、
前記需要量の総和に対する前記需要家群が供給可能な電力量の総和の割合が第１所定値以下であるときを、前記売電タイミングとして決定する、
請求項１に記載の売電タイミング最適制御システム。
【請求項３】
取得された前記蓄電量に基づいて、前記所定の需要家が供給可能な電力量の総和を予測する需要家電力供給量予測部を更に備え、
前記タイミング決定部は、予測される前記需要量の総和と、前記需要家群において予測される前記電力供給可能量の総和と、前記所定の需要家において予測される前記電力供給可能量と、に基づいて、前記所定の需要家の売電タイミングを決定する、請求項１に記載の売電タイミング最適制御システム。
【請求項４】
前記タイミング決定部は、前記需要家群において予測される前記電力供給可能量の総和に対する前記所定の需要家において予測される前記電力供給可能量の割合が第２所定値以上であるときを、前記売電タイミングとして決定する、
請求項３に記載の売電タイミング最適制御システム。
【請求項５】
前記供給量予測部は、
前記需要家群が所有する複数の前記発電装置での発電量の総和を予測する発電量予測部と、
前記蓄電量取得部によって取得された前記需要家群における前記蓄電量の総和と、予測される前記需要量の総和および前記発電量の総和とから前記蓄電量の総和を予測する蓄電量予測部と、を有し、
前記タイミング決定部は、
前記需要量の総和から前記発電量の総和及び前記予測された蓄電量の総和を差し引いた不足量に対する、前記需要家群電力供給量予測部によって予測された前記需要家群が供給可能な電力量の総和の割合が第３所定値以下であるときを、前記売電タイミングとして決定する、
請求項１または２に記載の売電タイミング最適制御システム。
【請求項６】
前記供給可能な電力量は、前記蓄電池に蓄電される予測電力量である、
請求項３または５に記載の売電タイミング最適制御システム。
【請求項７】
前記タイミング決定部は、前記需要家群において予測される前記電力供給可能量の総和に対する前記所定の需要家において予測される前記電力供給可能量の割合が第２所定値以上であるときを、前記売電タイミングとして決定する、
請求項５に記載の売電タイミング最適制御システム。
【請求項８】
前記需要家群電力供給量予測部は、
前記需要家群が所有する複数の前記発電装置での発電量の総和を予測する発電量予測部を有し、
前記タイミング決定部は、
予測される前記需要量の総和に対する予測される前記発電量の総和の割合が第４所定値以下であるときを、前記売電タイミングとして決定する、
請求項１に記載の売電タイミング最適制御システム。
【請求項９】
前記供給量予測部は、
前記蓄電量取得部によって取得された前記需要家群における前記蓄電量の総和と、予測される前記需要量の総和および前記発電量の総和とから前記蓄電量の総和を予測する蓄電量予測部を更に有し、
前記タイミング決定部は、
前記需要量の総和から前記発電量の総和及び前記予測された蓄電量の総和を差し引いた不足量に対する、前記需要家群電力供給量予測部によって予測された前記需要家群が供給可能な電力量の総和の割合が第３所定値以下であるときを、前記売電タイミングとして決定する、
請求項８に記載の売電タイミング最適制御システム。
【請求項１０】
前記供給可能な電力量は、前記蓄電池に蓄電される予測電力量である、
請求項９に記載の売電タイミング最適制御システム。
【請求項１１】
前記供給量予測部は、
前記需要家群における複数の前記発電装置での発電量の総和を予測する発電量予測部と、
前記蓄電量取得部によって取得された前記蓄電量の総和と、予測される前記需要量および前記発電量とから前記複数の蓄電量の総和を予測する蓄電量予測部と、
予測される前記蓄電量の総和と前記発電量の総和に基づいて供給量の総和を算出する算出部と、を有する、
請求項１に記載の売電タイミング最適制御システム。
【請求項１２】
複数の需要家を含む需要家群において蓄電地および発電装置の双方を所有する所定の前記需要家の売電タイミングを決定する売電タイミング最適制御方法であって、
前記需要家群が所有する複数の前記蓄電池各々の蓄電量を取得する蓄電量取得ステップと、
前記需要家群の電力需要量の総和を予測する需要家群需要量予測ステップと、
取得された前記蓄電量に基づいて、前記需要家群が供給可能な電力量の総和を予測する需要家群電力供給量予測ステップと、
予測される前記需要量の総和と、前記需要家群において予測される前記電力供給可能量と、に基づいて、前記所定の需要家の売電タイミングを決定するタイミング決定ステップと、
を備えた、売電タイミング最適制御方法。
【請求項１３】
複数の需要家を含む需要家群において蓄電地および発電装置の双方を所有する所定の前記需要家の売電タイミングを決定する売電タイミング最適制御プログラムであって、
前記需要家群が所有する複数の前記蓄電池各々の蓄電量を取得する蓄電量取得ステップと、
前記需要家群の電力需要量の総和を予測する需要家群需要量予測ステップと、
取得された前記蓄電量に基づいて、前記需要家群が供給可能な電力量の総和を予測する需要家群電力供給量予測ステップと、
予測される前記需要量の総和と、前記需要家群において予測される前記電力供給可能量と、に基づいて、前記所定の需要家の売電タイミングを決定するタイミング決定ステップと、
を備えた、売電タイミング最適制御方法をコンピュータに実行させる売電タイミング最適制御プログラム。
【発明の詳細な説明】
【技術分野】
【０００１】
本発明は、売電タイミング最適制御システム、売電タイミング最適制御方法および売電タイミング最適制御プログラムに関する。
【背景技術】
【０００２】
近年、再生可能エネルギーを利用して発電する発電電力装置（例えば、太陽光発電装置）が活用されている。わが国においては、余剰電力買い取り制度が制定されているため、太陽光発電装置や風力発電電装置等で発電された電力を電力会社に売ることができる（例えば、特許文献１参照。）。
特許文献１に示すエネルギー管理装置では、負荷機器への消費電力、分散電源の発電電力、商用電源からの売電電力および商用電源への売電電力のうちの少なくとも１つの電力情報が取得される。そして、取得した電力情報に基づいて料金情報が算出され、通信端末からの要求に応じて通信端末に料金情報が送信される。
【先行技術文献】
【特許文献】
【０００３】
【特許文献１】特開２０１４−３２６３０号公報
【発明の概要】
【発明が解決しようとする課題】
【０００４】
しかしながら、上記従来の装置では、発電された電力の有利な売電のタイミングが決定できなかった。
すなわち、例えば市場取引で電力の売買が行われる場合には、他の需要者の蓄電量によって売電の価格が決定されるが、他の需要者の蓄電量が分からないため有利な売電タイミングを判断できなかった。
【０００５】
本発明は、上記従来の課題を考慮して、有利な売電のタイミングを決定することが可能な売電タイミング最適制御システム、売電タイミング最適制御方法および売電タイミング最適制御プログラムを提供することを目的とする。
【課題を解決するための手段】
【０００６】
第１の発明に係る売電タイミング最適制御システムは、複数の需要家を含む需要家群において蓄電地および発電装置の双方を所有する所定の需要家の売電タイミングを決定する売電タイミング決定装置であって、蓄電量取得部と、需要家群需要量予測部と、需要家群電力供給量予測部と、タイミング決定部と、を備える。蓄電量取得部は、需要家群が所有する複数の蓄電池各々の蓄電量を取得する。需要家群需要量予測部は、需要家群の電力需要量の総和を予測する。需要家群電力供給量予測部は、取得された蓄電量に基づいて、需要家群が供給可能な電力量の総和を予測する。タイミング決定部は、予測される需要量の総和と、需要家群において予測される電力供給可能量の総和と、に基づいて、所定の需要家の売電タイミングを決定する。
【０００７】
これにより、需要家群における需要量の総和を予測し、それぞれの需要家の蓄電量に基づいて供給可能な電力量の総和を予測することができる。そして、予測される需要量の総和および供給可能な電力量の総和に基づいて売電タイミングを決定することができる。
例えば、市場取引において、需要量の総和が供給可能な電力量の総和よりも多いときに電力会社や他の需要家に売電を行うと、電力の価格が高く設定されることが考えられる。
【０００８】
このため、需要量の総和と供給可能な電力量の総和に基づいて、価格の高い有利な売電のタイミングを決定することが出来る。
なお、需要家群には、蓄電池および発電装置を所有していない需要家が含まれていてもよい。
また、需要量の予測は、例えば、天気予報（温度、湿度）などの情報に基づいて行われてもよいし、過去の消費電力の推移等の情報に基づいて行われても良い。
また、供給量の予測は、例えば、天気予報（温度、湿度）などの情報に基づく発電量などから行われてもよいし、過去の発電量のデータに基づいて行われてもよい。
【０００９】
第２の発明に係る売電タイミング最適制御システムは、第１の発明に係る売電タイミング最適制御システムであって、タイミング決定部は、需要量の総和に対する需要家群が供給可能な電力量の総和の割合が第１所定値以下であるときを、売電タイミングとして決定する。
需要量の総和に対する供給量の総和の割合が第１所定値よりも低くなるときは、需要が足りていない状態であるため、市場取引により電力の価格が高く設定されることが考えられる。従って、このタイミングで電気を売ることによって、より高い価格で電気を売ることが出来る。
【００１０】
第３の発明に係る売電タイミング最適制御システムは、第１の発明に係る売電タイミング最適制御システムであって、取得された蓄電量に基づいて、所定の需要家が供給可能な電力量の総和を予測する需要家電力供給量予測部を更に備える。タイミング決定部は、予測される需要量の総和と、需要家群において予測される電力供給可能量の総和と、所定の需要家において予測される電力供給可能量と、に基づいて、所定の需要家の売電タイミングを決定する。
【００１１】
このように、需要家群が供給可能な電力量の総和と、売電を所望する所定の需要家の供給可能な電力量とに基づいて、売電タイミングを決定することが出来る。
例えば、需要家群が供給可能な電力量の総和に対して、売電を所望する所定の需要家の供給可能な電力量が多い場合に、価格の設定を優位に進められると考えられる。そのため、所定の需要家は、より価格の高い状態で売電を行うことが出来る。
【００１２】
第４の発明に係る売電タイミング最適制御システムは、第３の発明に係る売電タイミング最適制御システムであって、タイミング決定部は、需要家群において予測される電力供給可能量の総和に対する所定の需要家において予測される電力供給可能量の割合が第２所定値以上であるときを、売電タイミングとして決定する。
このように、需要家群が供給可能な電力量の総和に対する売電を所望する所定の需要家の供給可能な電力量の割合が、第２所定値以上になるときは、蓄電量の総和に対して所定の需要家の蓄電量が占める割合が大きくなる。この場合、所定の需要家に価格の決定権が与えられることが考えられる。そのため、所定の需要家は、より価格の高い状態で売電を行うことが出来る。
【００１３】
第５の発明に係る売電タイミング最適制御システムは、第１または２の発明に係る売電タイミング最適制御システムであって、供給量予測部は、発電量予測部と、蓄電量予測部と、を有する。発電量予測部は、需要家群が所有する複数の前記発電装置での発電量の総和を予測する。蓄電量予測部は、蓄電量取得部によって取得された需要家群における蓄電量の総和と、予測される需要量の総和および発電量の総和とから蓄電量の総和を予測する。タイミング決定部は、需要量の総和から発電量の総和及び予測された蓄電量の総和を差し引いた不足量に対する、需要家群電力供給量予測部によって予測された需要家群が供給可能な電力量の総和の割合が第３所定値以下であるときを、売電タイミングとして決定する。
このように、需要量の総和から発電量の総和および蓄電量の総和を差し引いた不足量に対する蓄電量の総和の割合が少ないときは、市場において、より電力が求められる状況であるため、より高い価格で有利に売電をすることができる。
【００１４】
第６の発明に係る売電タイミング最適制御システムは、第３または５の発明に係る売電タイミング最適制御システムであって、電力供給可能量は、予測される前記蓄電池の蓄電量である。
【００１５】
このように、需要家群の蓄電量の総和と、売電を所望する所定の需要家の蓄電量とに基づいて、売電タイミングを決定することが出来る。
例えば、需要家群の蓄電量の総和に対して、売電を所望する所定の需要家の供給可能な蓄電量が多い場合に、価格の設定を優位に進められると考えられる。そのため、所定の需要家は、より価格の高い状態で売電を行うことが出来る。
また、需要量の総和から発電量の総和および蓄電量の総和を差し引いた不足量に対する蓄電量の総和の割合が少ないときは、市場において、より電力が求められる状況であるため、より高い価格で有利に売電をすることができる。
【００１６】
第７の発明に係る売電タイミング最適制御システムは、第５の発明に係る売電タイミング最適制御システムであって、タイミング決定部は、需要家群において予測される電力供給可能量の総和に対する所定の需要家において予測される電力供給可能量の割合が第２所定値以上であるときを、売電タイミングとして決定する。
【００１７】
このように、需要家群における蓄電量の総和に対する売電を所望する所定の需要家の蓄電量の割合が、第２所定値以上になるときは、蓄電量の総和に対して所定の需要家の蓄電量が占める割合が大きくなる。この場合、所定の需要家に価格の決定権が与えられることが考えられる。そのため、所定の需要家は、より価格の高い状態で売電を行うことが出来る。
【００１８】
第８の発明に係る売電タイミング最適制御システムは、第１の発明に係る売電タイミング最適制御システムであって、需要家群電力供給量予測部は、需要家群が所有する複数の発電装置での発電量の総和を予測する発電量予測部を有する。タイミング決定部は、予測される需要量の総和に対する予測される発電量の総和の割合が第４所定値以下であるときを、売電タイミングとして決定する。
このように、需要量の総和に対する発電量の総和の割合が所定値よりも低くなるときは、発電量では需要量を補うことができない状態であるため、市場取引により電力の価格が高く設定されることが考えられる。従って、このタイミングで電気を売ることによって、より高い価格で電力を売ることが出来る。
【００１９】
第９の発明に係る売電タイミング最適制御システムは、第８の発明に係る売電タイミング最適制御システムであって、供給量予測部は、蓄電量取得部によって取得された需要家群における蓄電量の総和と、予測される需要量の総和および発電量の総和とから蓄電量の総和を予測する蓄電量予測部を更に有する。タイミング決定部は、需要量の総和から発電量の総和及び予測された蓄電量の総和を差し引いた不足量に対する、需要家群電力供給量予測部によって予測された需要家群が供給可能な電力量の総和の割合が第３所定値以下であるときを、売電タイミングとして決定する。
このように、需要量の総和から発電量および蓄電量の総和の総和を差し引いた不足量に対する蓄電量の総和の割合が少ないときは、市場において、より電力が求められる状況であるため、より高い価格で有利に売電をすることができる。
【００２０】
第１０の発明に係る売電タイミング最適制御システムは、第９の発明に係る売電タイミング最適制御システムであって、供給可能な電力量の総和は、蓄電池に蓄電される予測電力量の総和である。
【００２１】
第１１の発明に係る売電タイミング最適制御システムは、第１の発明に係る売電タイミング最適制御システムであって、供給量予測部は、発電量予測部と、蓄電量予測部と、算出部と、を有する。供給量予測部は、需要家群における複数の発電装置での発電量の総和を予測する。蓄電量予測部は、蓄電量取得部によって取得された蓄電量の総和と、予測される需要量および発電量とから複数の蓄電量の総和を予測する。算出部は、予測される蓄電量の総和と発電量の総和に基づいて供給量の総和を算出する。
【００２２】
これにより、供給量を詳細に予測できる。
例えば、所定の時刻において予測される供給可能電力量の総和を算出する際には、現時点の蓄電量の総和に、現時点から所定の時刻までの予測される発電量の総和を足し、足した電力量から現時点から所定の時刻までの予測される需要量の総和を引くことによって、所定の時刻における蓄電量の総和が予測される。この所定の時刻における予測される蓄電量の総和に、所定の時刻における発電量を足すことによって、所定の時刻において供給可能な電力量の総和を予測することが出来る。
【００２３】
第１２の発明に係る売電タイミング最適制御方法は、複数の需要家を含む需要家群において蓄電地および発電装置の双方を所有する所定の前記需要家の売電タイミングを決定する売電タイミング最適制御方法であって、蓄電量取得ステップと、需要家群需要量予測ステップと、需要家群電力供給量予測ステップと、タイミング決定ステップと、を備える。蓄電量取得ステップは、需要家群が所有する複数の蓄電池各々の蓄電量を取得する。需要家群需要量予測ステップは、需要家群の電力需要量の総和を予測する。需要家群電力供給量予測ステップは、取得された蓄電量に基づいて、前記需要家群が供給可能な電力量の総和を予測する。タイミング決定ステップは、予測される前記需要量の総和と、需要家群において予測される電力供給可能量と、に基づいて、所定の需要家の売電タイミングを決定する。
【００２４】
これにより、需要家群における需要量の総和を予測し、それぞれの需要家の蓄電量に基づいて供給可能な電力量の総和を予測することができる。そして、予測される需要量の総和および供給可能な電力量の総和に基づいて売電タイミングを決定することができる。
例えば、市場取引において、需要量の総和が供給可能な電力量の総和よりも多いときに電力会社や他の需要家に売電を行うと、電力の価格が高く設定されることが考えられる。
【００２５】
このため、需要量の総和と供給可能な電力量の総和に基づいて、価格の高い有利な売電のタイミングを決定することが出来る。
なお、需要家群には、蓄電池および発電装置を所有していない需要家が含まれていてもよい。
また、需要量の予測は、例えば、天気予報（温度、湿度）などの情報に基づいて行われてもよいし、過去の消費電力の推移等の情報に基づいて行われても良い。
また、供給量の予測は、例えば、天気予報（温度、湿度）などの情報に基づく発電量などから行われてもよいし、過去の発電量のデータに基づいて行われてもよい。
【００２６】
第１３の発明に係る売電タイミング最適制御プログラムは、複数の需要家を含む需要家群において蓄電地および発電装置の双方を所有する所定の前記需要家の売電タイミングを決定する売電タイミング最適制御プログラムであって、蓄電量取得ステップと、需要家群需要量予測ステップと、需要家群電力供給量予測ステップと、タイミング決定ステップと、を備えた売電タイミング最適制御方法をコンピュータに実行させる。蓄電量取得ステップは、需要家群が所有する複数の蓄電池各々の蓄電量を取得する。需要家群需要量予測ステップは、需要家群の電力需要量の総和を予測する。需要家群電力供給量予測ステップは、取得された蓄電量に基づいて、前記需要家群が供給可能な電力量の総和を予測する。タイミング決定ステップは、予測される前記需要量の総和と、需要家群において予測される電力供給可能量と、に基づいて、所定の需要家の売電タイミングを決定する。
【００２７】
これにより、需要家群における需要量の総和を予測し、それぞれの需要家の蓄電量に基づいて供給可能な電力量の総和を予測することができる。そして、予測される需要量の総和および供給可能な電力量の総和に基づいて売電タイミングを決定することができる。
例えば、市場取引において、需要量の総和が供給可能な電力量の総和よりも多いときに電力会社や他の需要家に売電を行うと、電力の価格が高く設定されることが考えられる。
【００２８】
このため、需要量の総和と供給可能な電力量の総和に基づいて、価格の高い有利な売電のタイミングを決定することが出来る。
なお、需要家群には、蓄電池および発電装置を所有していない需要家が含まれていてもよい。
また、需要量の予測は、例えば、天気予報（温度、湿度）などの情報に基づいて行われてもよいし、過去の消費電力の推移等の情報に基づいて行われても良い。
【００２９】
また、供給量の予測は、例えば、天気予報（温度、湿度）などの情報に基づく発電量などから行われてもよいし、過去の発電量のデータに基づいて行われてもよい。
【発明の効果】
【００３０】
本発明によれば、有利な売電のタイミングを決定することが可能な売電タイミング最適制御システム、売電タイミング最適制御方法、および売電タイミング最適制御プログラムを提供することが出来る。
【図面の簡単な説明】
【００３１】
【図１】本発明に係る実施の形態１における売電タイミング最適制御システムと複数の需要家の関係を示すブロック図。
【図２】図１の売電タイミング最適制御システムの動作を示すフロー図。
【図３】需要家群における総需要量、総発電量、および総蓄電量の予測のグラフを示す図。
【図４】本発明に係る実施の形態２における売電タイミング最適制御システムと複数の需要家の関係を示すブロック図。
【図５】図４の売電タイミング最適制御システムの動作を示すフロー図。
【図６】需要家群における総需要量、総発電量、および総蓄電量の予測のグラフを示す図。
【図７】本発明に係る実施の形態３における売電タイミング最適制御システムの動作を示すフロー図。
【図８】需要家群における総需要量、総発電量、総蓄電量および需要家Ａの蓄電量の予測のグラフを示す図。
【発明を実施するための形態】
【００３２】
以下に、本発明に係る実施の形態における売電タイミング最適制御システム、売電タイミング最適制御方法および売電タイミング最適制御プログラムについて図面を参照して説明する。
ここで、以下の説明において登場する需要家Ａ２０は、発電装置（ソーラーパネル２１）と蓄電池（蓄電装置２３）とを所有しており、電力が不足すると外部から電力を買い、余剰電力が生じると外部へと電力を売ることができる。
【００３３】
他の需要家Ｂ３０も、需要家Ａ２０と同様に、発電装置（ソーラーパネル３１）と蓄電池（蓄電装置３３）を有しており、需要家Ｃ４０も、需要家Ａ２０と同様に発電装置（ソーラーパネル４１）と蓄電池（蓄電装置４３）を有している。
これら需要家Ａ２０、Ｂ３０、Ｃ４０は、需要家群６０に含まれている。
需要家とは、電力会社と契約を結んでおり、電力会社から系統５０（図１参照）を介して供給される電力を使用する個人、法人、団体等であって、例えば、一般家庭（戸建て、マンション）、企業（事業所、工場、設備等）、地方自治体、国の機関等が含まれる。
【００３４】
また、上述した外部とは、電力会社、他の需要家を含む。すなわち、需要家Ａ２０が売電する外部としては、電力会社、他の需要家Ｂ３０、Ｃ４０等が挙げられる。
そして、以下の実施の形態において、スマートメータ２８（図１参照）とは、各需要家にそれぞれ設置され、発電量、蓄電量、電力消費量を計測し、通信機能を用いて、計測結果を電力会社等へ送信する計測機器を意味している。スマートメータ２８を設置したことにより、電力会社は、需要家Ａ２０におけるリアルタイムの電力状況を正確に把握できるとともに、所定期間ごとに実施される検針業務を自動化することができる。なお、図示していないが、需要家Ｂ３０、需要家Ｃ４０においてもスマートメータが取り付けられている。
【００３５】
さらに、以下の実施の形態において、負荷２４（図１）とは、例えば、需要家が一般家庭の場合には、エアコン、冷蔵庫、電力レンジ、ＩＨクッキングヒータ、テレビ等の電力消費体を意味している。また、例えば、需要家が企業（工場等）の場合には、工場内に設置された各種設備、空調設備等の電力消費体を意味している。
さらに、以下の実施の形態において、ＥＭＳ（Energy Management System）２６（図１）とは、各需要家にそれぞれ設置されており、各需要家における消費電力量を削減するために設けられたシステムを意味している。そして、ＥＭＳ２６は、ネットワークを介して売電タイミング最適制御システム１０に接続されている。
【００３６】
（実施の形態１）
＜構成＞
本実施の形態１に係る売電タイミング最適制御システム１０は、余剰電力を売る最適なタイミングを決定するシステムであって、図１では、需要家Ａ２０の最適な売電タイミングを決定する。
【００３７】
具体的には、売電タイミング最適制御システム１０は、需要家群６０における需要量の総和を予測し、需要家群６０において供給可能な電力量の総和を予測し、需要量の総和と供給可能な電力量の総和に基づいて、需要家Ａ２０の売電タイミングを決定する。
なお、図１に示す各構成をつなぐ実線は、データ等の情報の流れを示しており、一点鎖線は電気の流れを示している。
また、本実施形態の売電タイミング最適制御システム１０の構成については、後段において詳述する。
【００３８】
（需要家Ａ）
本実施の形態の売電タイミング最適制御システム１０は、図１に示すように、売電を所望する需要家Ａ２０のＥＭＳ２６と接続されている。
需要家Ａ２０は、図１に示すように、ソーラーパネル（発電装置）２１、太陽光発電用電力変換装置（ＰＣＳ）２２、発電電力用電力センサ２２ａ、蓄電装置（蓄電池）２３、蓄電電力用電力センサ２３ａ、負荷２４、負荷用電力センサ２４ａ、分電盤２５、ＥＭＳ（Energy Management System）２６、通信部２７およびスマートメータ２８を備えている。
【００３９】
ソーラーパネル（発電装置）２１は、太陽光の光エネルギーを用いた光起電力効果を利用して電気を発生させる装置であって、需要家Ａ２０の屋根等に設置されている。そして、ソーラーパネル２１における発電量は、天気予報の日照時間に関する情報に基づいて予測することができる。
太陽光発電用電力変換装置（ＰＣＳ（Power Conditioning System））２２は、図１に示すように、ソーラーパネル２１と接続されており、ソーラーパネル２１において発生した直流電流を交流電流に変換する。
【００４０】
発電電力用電力センサ２２ａは、図１に示すように、太陽光発電用電力変換装置２２に接続されており、ソーラーパネル２１において発電した電力量を測定する。そして、発電電力用電力センサ２２ａは、ＥＭＳ２６に対して測定結果（発電量）を送信する。
蓄電装置（蓄電池）２３は、ソーラーパネル２１において発電した電力のうち、負荷２４によって消費しきれなかった余剰電力を一時的に蓄えるために設けられている。これにより、ソーラーパネル２１によって発電する日中の時間帯において、負荷２４による電力消費量が少ない場合でも、余った電力を蓄電装置２３へ蓄えておくことで、発電した電力を捨ててしまう無駄を排除できる。
【００４１】
蓄電電力用電力センサ２３ａは、図１に示すように、蓄電装置２３に接続されており、蓄電装置２３において蓄えられている電力量を測定する。そして、蓄電電力用電力センサ２３ａは、ＥＭＳ２６に対して測定結果（蓄電量）を送信する。
負荷２４は、上述したように、一般家庭におけるエアコンや冷蔵庫等の家電製品、工場等における設備、空調装置等の電力消費体であって、系統４０から供給される電力、ソーラーパネル２１によって発生した電力、蓄電装置２３において蓄えられた電力を消費する。
【００４２】
負荷用電力センサ２４ａは、図１に示すように、負荷２４に接続されており、負荷２４によって消費される電力量を測定する。そして、負荷用電力センサ２４ａは、ＥＭＳ２６に対して測定結果（消費電力量）を送信する。
分電盤２５は、図１に示すように、発電電力用電力センサ２２ａ、蓄電電力用電力センサ２３ａ、負荷用電力センサ２４ａ、およびスマートメータ２８と接続されている。そして、分電盤２５は、ソーラーパネル２１において発電した電力、蓄電装置２３に蓄えられた電力、または系統４０から買った電力を負荷２４に対して供給する。
【００４３】
また、分電盤２５は、売電タイミング最適制御システム１０によって決定された売電タイミングに基づいて、余剰電力を、スマートメータ２８を介して系統４０へと供給する。これにより、需要家Ａ２０は、電力会社または他の需要家Ｂ３０、Ｃ４０に余剰電力を売電することができる。
ＥＭＳ（Energy Management System）２６は、上述したように、需要家Ａ２０における消費電力量を削減するために設けられたエネルギー管理システムであって、図１に示すように、発電電力用電力センサ２２ａ、蓄電電力用電力センサ２３ａおよび負荷用電力センサ２４ａと接続されている。また、ＥＭＳ２６は、通信部２７と接続されている。さらに、ＥＭＳ２６は、各センサ２２ａ，２３ａ，２４ａから受信した検出結果を用いて、ソーラーパネル２１による発電電力、蓄電装置２３における蓄電量を効率よく負荷２４に対して供給する。これにより、系統４０から供給される電力の消費量を抑制して、需要家Ａ２０における電力コストを効果的に削減することができる。
【００４４】
また、ＥＭＳ２６は、蓄電電力用電力センサ２３ａに接続された蓄電量収集部２６ａを有しており、蓄電量収集部２６ａは、蓄電装置２３の蓄電量を収集する。蓄電量の収集は、蓄電電力用電力センサ２３ａによって検出される電流または電圧によって行われる。
通信部２７は、蓄電量収集部２６ａによって収集された蓄電量を売電タイミング最適制御システム１０へと送信する。通信部２７は、無線または有線によって、売電タイミング最適制御システム１０の通信部１１と通信を行う。
【００４５】
スマートメータ２８は、上述したように、需要家Ａ２０が所有するソーラーパネル２１の発電量、蓄電装置２３の蓄電量、および負荷２４の消費電力量を計測する。そして、スマートメータ２８は、図１に示すように、分電盤２５を介して各センサ２２ａ，２３ａ，２４ａと接続されている。さらに、スマートメータ２８は、通信機能を有しており、電力会社に対して、需要家Ａ２０における発電量、蓄電量、消費電力量に関する情報を送信する。
なお、図１には、需要家Ｂ３０および需要家Ｃ４０の所有している構成について、ソーラーパネル３１、４１と蓄電装置３３、４３のみが示されているが、需要家Ｂ３０、Ｃ４０も、需要家Ａ２０と同様の構成を所有している。
【００４６】
（売電タイミング最適制御システム）
売電タイミング最適制御システム１０は、通信部１１と、需要量予測部１２と、供給量予測部１３と、タイミング決定部１４とを備える。
【００４７】
通信部１１は、需要家Ａ２０、Ｂ３０、Ｃ４０の所有する蓄電装置２３、３３、４３の蓄電量の情報を受信する。例えば、需要家Ａ２０の場合、通信部１１は、需要家Ａ２０が所有する通信部２７と通信を行い、蓄電装置２３の充電量の情報を取得する。なお、需要家Ｂ３０、Ｃ４０も通信部を所有しており、通信部１１は、蓄電装置３３、４３の蓄電量の情報も受信する。
【００４８】
需要量予測部１２は、需要家需要量予測部１２ａと、需要家群需要量予測部１２ｂを有する。需要家需要量予測部１２ａは、需要家群６０に含まれる需要家Ａ２０、需要家Ｂ３０および需要家Ｃ４０の各々が必要とする需要量を予測する。需要量の予測は、天気予報などの情報に基づいて行うことが出来る。また、需要家Ａ２０、Ｂ３０、Ｃ４０の各々の需要家の生活パターンや消費電力量の推移等の過去の需要量データに基づいて需要量の予測が行われても良い。
【００４９】
需要家需要量予測部１２ａは、所定時刻における需要量ａ（ｋｗ）と、現在時刻から所定時刻までの積算需要量ａｓ（ｋｗｈ）を予測する。いいかえると、需要量予測部１２は、時間経過に伴って予測される時々の需要量ａ（ｋｗ）と、現在時刻から需要量ａ（ｋｗｈ）が予測される時刻までの積算需要量ａｓ（ｋｗｈ）を予測する。
需要家群需要量予測部１２ｂは、需要家Ａ２０、Ｂ３０、Ｃ４０の需要量ａを足し合わせることにより、需要家群６０において予測される時々の総需要量Ｔａ（ｋｗ）を算出する。
【００５０】
供給量予測部１３は、需要家Ａ２０、Ｂ３０、Ｃ４０の各々の供給可能な電力量および需要家群６０における供給可能な電力量の総和を予測する。供給量予測部１３は、発電量予測部１５と、蓄電量予測部１６と、合算部１７とを有している。
発電量予測部１５は、需要家発電量予測部１５ａと、需要家群発電量予測部１５ｂとを有する。需要家発電量予測部１５ａは、需要家Ａ２０、Ｂ３０、Ｃ４０の各々のソーラーパネル２１、３１、４１による発電量の予測を行う。発電量の予測は、例えば、天気予報（温度、湿度）などの情報に基づくソーラーパネル２１、３１、４１の発電量等から行われてもよいし、過去の発電量のデータに基づいて行われてもよい。
【００５１】
需要家Ａ２０の場合、発電量予測部１５は、所定時刻におけるソーラーパネル２１の発電量ｂ（ｋｗ）と、現在時刻から所定時刻までの積算発電量ｂｓ（ｋｗｈ）を予測する。いいかえると、発電量予測部１５は、時間経過に伴って予測される時々の発電量ｂ（ｋｗ）と、現在時刻から発電量ｂ（ｋｗ）が予測される時刻までの積算発電量ｂｓ（ｋｗｈ）を予測する。需要家群発電量予測部１５ｂは、需要家Ａ２０、Ｂ３０、Ｃ４０の発電量ｂを足し合わせることにより、需要家群６０において予測される時々の総発電量Ｔｂ（ｋｗ）を算出する。
【００５２】
蓄電量予測部１６は、需要家蓄電量予測部１６ａと、需要家群蓄電量予測部１６ｂとを有する。需要家蓄電量予測部１６ａは、通信部１１によって取得された現在時刻における蓄電装置２３、３３、４３の各々の蓄電量ｃ（ｋｗｈ）と、需要量予測部１２の需要家需要量予測部１２ａによって予測される需要家Ａ２０、Ｂ３０、Ｃ４０の各々の積算需要量ａｓ（ｋｗｈ）と、発電量予測部１５によって予測されるソーラーパネル２１、３１、４１の各々の積算発電量ｂｓ（ｋｗｈ）に基づいて、所定時刻における蓄電装置２３、３３、４３の各々の蓄電量ｄ（ｋｗｈ）を予測する。
【００５３】
具体的には、需要家Ａ２０の場合、蓄電装置２３の現在時刻での蓄電量をｃ（ｋｗｈ）とすると、所定時刻における蓄電量ｄ（ｋｗｈ）は、ｃ＋ｂｓ−ａｓの式により算出される。
現在時刻から一定期間内において、一定間隔の時刻（上記所定時刻）ごとに蓄電量ｄを算出することによって、現在時刻から一定期間内における蓄電量の予測を行うことが出来る。
【００５４】
需要家群蓄電量予測部１６ｂは、需要家Ａ２０、Ｂ３０、Ｃ４０の蓄電量ｄを足し合わせることにより、需要家群６０において予測される時々の総蓄電量Ｔｄ（ｋｗ）を算出する。
合算部１７は、所定時刻において予測される蓄電量ｄ（ｋｗｈ）と、所定時刻において予測される発電量ｂ（ｋｗ）を合算し、所定時刻において供給可能な電力量ｆ（＝ｄ＋ｂ）を算出する。また、合算部１７ｂは、需要家Ａ２０、Ｂ３０、Ｃ４０の供給可能な電力量ｆを足し合わせることにより、需要家群６０において予測される時々の供給可能な総電力量Ｔｆ（ｋｗ）を算出する。
【００５５】
なお、合算部１７は、需要家群蓄電量予測部１６ｂによって算出された総蓄電量Ｔｄと、需要家群発電量予測部１５ｂによって算出された総発電量Ｔｂと、足し合わせることによって供給可能な総電力量Ｔｆ（Ｔｄ＋Ｔｂ）を算出してもよい。
また、供給量予測部１３において、需要家毎の蓄電量を予測する需要家蓄電量予測部１６ａと、需要家毎の発電量を予測する需要家発電量予測部１５ａと、需要家毎の予測蓄電量と需要家毎の予測発電量とを足し合わせる合算部１７が、需要家毎の供給可能な電力量を予測する需要家電力供給量予測部の一例に対応する。
【００５６】
また、供給量予測部１３において、需要家群の蓄電量を予測する需要家群蓄電量予測部１６ｂと、需要家群の発電量を予測する需要家群発電量予測部１５ｂと、合算部１７が、需要家群の供給可能な電力量を予測する需要家群電力供給量予測部の一例に対応する。
タイミング決定部１４は、予測される供給可能な電力量ｆ（ｋｗ）と、予測される所定時刻における需要量ａ（ｋｗ）、予測される所定時刻における発電量ｂ（ｋｗ）などに基づいて、売電タイミングの決定を行う。
【００５７】
＜動作＞
次に、本発明にかかる実施の形態の売電タイミング最適制御システム１０の動作について説明するとともに、売電タイミング最適制御方法についても述べる。
図２は、本実施の形態の売電タイミング最適制御システム１０の動作を示すフロー図である。
【００５８】
図２に示すように、ステップＳ１１において、売電タイミング最適制御システム１０は、通信部１１を介して、需要家群６０内の各需要家Ａ２０、Ｂ３０、Ｃ４０が所有する蓄電装置２３、４４、４３の現在時刻における各々の蓄電量を取得する。ステップＳ１１は、蓄電量取得ステップの一例に対応する。
次に、ステップＳ１２において、需要量予測部１２が、需要家群６０内における需要家Ａ２０、Ｂ３０、Ｃ４０の各々の一定期間内の需要量を予測する。ステップＳ１２は、需要量予測ステップの一例に対応する。ここで、一定期間とは、例えば、半日、日照時間、１日、検針期間、等に設定できる。需要量予測部１２は、一定期間内における時々の需要量ａ（ｋｗ）を予測し、需要量ａが予測される時までの積算需要量ａｓを予測する。また、需要量予測部１２は、需要家Ａ２０、Ｂ３０、Ｃ４０の需要量ａを足し合わせることにより、需要家群６０において予測される時々の総需要量Ｔａ（ｋｗ）を算出する。
【００５９】
次に、ステップＳ１３〜Ｓ１５において、供給量予測部１３が、需要家群６０内における需要家Ａ２０、Ｂ３０、Ｃ４０の各々の一定期間内の供給量を予測する。ステップＳ１３〜Ｓ１５は、供給量予測ステップの一例に対応する。供給量予測部１３は、需要家Ａ２０、Ｂ３０、Ｃ４０の各々の一定期間内における時々の供給可能な電力量ｆ（ｋｗ）を予測する。
【００６０】
詳細には、ステップＳ１３において、発電量予測部１５が、需要家Ａ２０、Ｂ３０、Ｃ４０の各々について、時々の発電量ｂ（ｋｗ）と、現在時刻から発電量ｂ（ｋｗ）が予測される時刻までの積算発電量ｂｓ（ｋｗｈ）を予測する。
次に、ステップＳ１４において、蓄電量予測部１６が、需要家Ａ２０、Ｂ３０、Ｃ４０の各々について、現在時刻における蓄電装置２３、３３、４３の各々の蓄電量ｃと、需要量予測部１２によって予測される各需要家の積算需要量ａｓと、発電量予測部１５によって予測されるソーラーパネル２１、３１、４１の各々の積算発電量ｂｓに基づいて、所定時刻における蓄電装置２３、３３、４３の各々の蓄電量ｄ（＝ｃ＋ｂｓ−ａｓ）を予測する。
【００６１】
そして、ステップＳ１５において、合算部１７が、需要家Ａ２０、Ｂ３０、Ｃ４０の各々について、所定時刻での予測される蓄電量ｄ（ｋｗｈ）と、所定時刻での予測される発電量ｂ（ｋｗ）を合算し、所定時刻において供給可能な電力量ｆ（＝ｄ＋ｂ）を算出する。そして、合算部１７は、需要家Ａ２０、Ｂ３０、Ｃ４０の供給可能な電力量を足し合わせることにより、需要家群６０において予測される時々の供給可能な総電力量Ｔｆ（ｋｗ）を算出する。
【００６２】
次に、ステップＳ１６において、タイミング決定部１４は、需要家群６０における総需要量Ｔａに対して供給可能な総電力量Ｔｆの割合が、所定値α以下であるか否かを判定する。所定値αは、例えば０．８０（８０％）に設定することができる。
図３は、総蓄電量Ｔｄ、総需要量Ｔａ、および総発電量Ｔｂの時間経過の予測データを示すグラフである。図３には、需要家Ａ２０、Ｂ３０、Ｃ４０による総需要量Ｔａが実線で示されている。また、図３には、需要家Ａ２０、Ｂ３０、Ｃ４０による総発電量Ｔｂが一点鎖線で示されている。また、図３には、現在時刻の総蓄電量Ｔｄと、蓄電量予測部１６によって予測される時刻（ｉ）、時刻（ｉｉ）、および時刻（ｉｉｉ）での総蓄電量Ｔｄが棒グラフによって示されている。
【００６３】
例えば、時刻（ｉ）における供給可能な総電力量Ｔｆは、時刻（ｉ）における総蓄電量Ｔｄ＋総発電量Ｔｂとなるが、この値は、時刻（ｉ）における総需要量Ｔａよりも大きくなっている。そのため、ステップＳ１６において、タイミング決定部１４は、売電タイミングを時刻（ｉ）と決定せず、保留する。
その場合、タイミング決定部１４は、ステップＳ１９において、時刻を進ませる。そして、ステップＳ２０において、Ｓ１２〜Ｓ１５で予測を行った一定期間に達したか否かが判定される。すなわち、タイミング決定部１４は、予測が行われた一定期間に達するまで時刻を徐徐に進ませて、売電タイミングに決定するか否かの判定を行う。
【００６４】
次に、図３に示す時刻（ｉｉ）では、供給可能な総電力量Ｔｆ（時刻（ｉｉ）における総蓄電量Ｔｄ＋総発電量Ｔｂ）は、時刻（ｉｉ）における総需要量Ｔａの所定値α（０．８）以下であるため、制御は、ステップＳ１７へと進む。そして、ステップＳ１７において、時刻（ｉｉ）における総需要量Ｔａから総発電量Ｔｂを差し引いた不足量Ｔｇに対して、時刻（ｉｉ）における総蓄電量Ｔｄの割合が所定値β以下であるか否かが判定される。ここで、所定値βは、例えば、０．５（５０％）などに設定できる。
【００６５】
時刻（ｉｉ）では、総需要量Ｔａから総発電量Ｔｂを差し引いた不足量Ｔｇに対して総蓄電量Ｔｄの割合が所定値β（例えば０．５）よりも大きいため、タイミング決定部１４は、時刻（ｉｉ）を売電タイミングに決定しない。
一方、時刻（ｉｉｉ）では、供給可能な総電力量Ｔｆ（時刻（ｉｉｉ）における総蓄電量Ｔｄ＋総発電量Ｔｂ）は、時刻（ｉｉｉ）における総需要量Ｔａの所定値α（０．８）以下であり、不足量Ｔｇに対して、時刻（ｉｉｉ）における総蓄電量Ｔｄの割合が所定値β（０．５）以下になっている。このため、タイミング決定部１４は、ステップＳ１８において、時刻（ｉｉｉ）を売電タイミングとして決定する。上記ステップＳ１６〜Ｓ２０が、タイミング決定ステップの一例に対応する。
【００６６】
なお、決定された売電タイミングは、通信部１１から需要家Ａの通信部２７へと送信され、この売電タイミングで需要家Ａにおいて売電が行われる。売電対象としては、電力会社であってもよいし、他の需要家Ｂ３０、Ｃ４０であってもよい。
以上のように、売電タイミング最適制御システム１０は、総需要量Ｔａと供給可能な総電力量Ｔｆに基づいて、売電タイミングを決定できるため、需要家Ａ２０によって有利な条件（例えば、価格が高い）で売電を行うことができる。
【００６７】
また、売電タイミング最適制御システム１０は、総需要量Ｔａに対する供給可能総電力量Ｔｆの割合が所定値α以下の場合に、売電タイミングを決定する。これにより、総需要量Ｔａに対して供給可能総電力量Ｔｆの割合が低い場合に売電を行うことが出来る。市場取引では、取引参加者との競り合いによって価格等の取引条件が決められるため、供給不足のときの方が売電価格を高く設定でき、より価格の高い有利な条件で売電を行うことが出来る。
【００６８】
また、売電タイミング最適制御システム１０は、不足量Ｔｇに対する総蓄電量Ｔｄの割合が所定値β以下の場合に、売電タイミングを決定する。これにより、不足量Ｔｇに対して総蓄電量Ｔｄの割合が低い場合に売電を行うことが出来る。この場合、他の需要家による蓄電量も少ないため、より高い価格で売電することが出来る。
（実施の形態２）
以下に、本発明に係る実施の形態２における売電タイミング最適制御システム１０について説明する。
【００６９】
＜１．構成＞
本実施の形態２の売電タイミング最適制御システム１０は、実施の形態１と基本的な構成は同じであるが、実施の形態１と比較して、合算部１７が設けられていない点と、制御動作が異なっている。そのため、本相違点を中心に説明する。
図４は、本実施の形態２の売電タイミング最適制御システム１００の構成を示す制御ブロック図である。図４に示すように、本実施の形態２の売電タイミング最適制御システム１００には、実施の形態１の売電タイミング最適制御システム１０と比較して、合算部１７が設けられていない。すなわち、所定時刻において供給可能な電力量ｆ（＝ｄ＋ｂ）および需要家群６０において予測される時々の供給可能な総電力量Ｔｆ（ｋｗ）の算出が行われない。
なお、所定時刻における予測される蓄電量ｄ（ｋｗｈ）と、所定時刻における予測される発電量ｂ（ｋｗ）を合算が行われないだけで、後述のように、供給可能な電力量の一例として、所定時刻における蓄電量ｄと発電量ｂのそれぞれの予測は行われる。
【００７０】
＜２．動作＞
図５は、本実施の形態２の売電タイミング最適制御システム１００の動作を示すフロー図である。
図５に示すように、ステップＳ１１〜ステップＳ１４までの制御は、実施の形態１と同様である。なお、ステップＳ１１が、蓄電量取得ステップの一例に対応し、ステップＳ１２が、需要量予測ステップの一例に対応する。また、ステップＳ１３、Ｓ１４が、供給量予測ステップの一例に対応する。
ステップＳ１４の次に、ステップＳ２６において、タイミング決定部１４は、総需要量Ｔａに対する総発電量Ｔｂの割合が所定値γ以下であるか否かを判定する。ここで、所定値γは例えば０．５（５０％）に設定することができる。
【００７１】
図６は、総蓄電量Ｔｄ、総需要量Ｔａ、および総発電量Ｔｂの時間経過の予測データを示すグラフである。図６には、需要家Ａ２０、Ｂ３０、Ｃ４０による総需要量Ｔａが実線で示されている。また、図６には、需要家Ａ２０、Ｂ３０、Ｃ４０による総発電量Ｔｂが一点鎖線で示されている。また、図６には、現在時刻の総蓄電量Ｔｄと、蓄電量予測部１６によって予測される時刻（ｉ）、時刻（ｉｉ）、および時刻（ｉｉｉ）での総蓄電量Ｔｄが棒グラフによって示されている。
【００７２】
例えば、図３に示すように、時刻（ｉ）における総発電量Ｔｂの総需要量Ｔａに対する割合は、所定値γ（０．５）よりも大きくなっている。このため、タイミング決定部１４は、ステップＳ２６において、時刻（ｉ）を売電タイミングとして決定せず、売電タイミングの決定を保留する。
図６に示す時刻（ｉｉ）では、総需要量Ｔａに対する総発電量Ｔｂの割合は、所定値γ（０．５）以下となっているため、制御は、ステップＳ１７へと進む。そして、ステップＳ１７において、時刻（ｉｉ）における総需要量Ｔａから総発電量Ｔｂを差し引いた不足量Ｔｇに対して、時刻（ｉｉ）における総蓄電量Ｔｄの割合が所定値β以下であるか否かが判定される。ここで、所定値βは、例えば、０．５（５０％）などに設定できる。
【００７３】
時刻（ｉｉ）では、総需要量Ｔａから総発電量Ｔｂを差し引いた不足量Ｔｇに対して総蓄電量Ｔｄの割合が所定値β（例えば０．５）よりも大きいため、タイミング決定部１４は、時刻（ｉｉ）を売電タイミングに決定しない。
一方、時刻（ｉｉｉ）では、総需要量Ｔａに対する総発電量Ｔｂの割合は、所定値γ（０．５）以下となっており、不足量Ｔｇに対して、時刻（ｉｉｉ）における総蓄電量Ｔｄの割合が所定値β（０．５）以下になっている。このため、タイミング決定部１４は、ステップＳ１８において、時刻（ｉｉｉ）を売電タイミングとして決定する。なお、上記ステップＳ２６、Ｓ１７〜Ｓ２０が、タイミング決定ステップの一例に対応する。
【００７４】
以上のように、売電タイミング最適制御システム１０は、総需要量Ｔａと供給可能な電力量の一例として総発電量Ｔｂまたは総蓄電量Ｔｄに基づいて、売電タイミングを決定できるため、需要家によって有利な条件（例えば、価格が高い）で売電を行うことができる。
また、売電タイミング最適制御システム１０は、総需要量Ｔａに対する総発電量Ｔｂの割合が所定値γ以下のときを、売電タイミングとして決定する。これにより、総需要量Ｔａに対して総発電量Ｔｂの割合が低い場合に売電を行うことが出来る。市場取引では、取引参加者との競り合いによって価格等の取引条件が決められるため、発電量が不足しているときの方が売電価格を高く設定でき、より価格の高い有利な条件で売電を行うことが出来る。
【００７５】
また、売電タイミング最適制御システム１０は、不足量Ｔｇに対する総蓄電量Ｔｄの割合が所定値β以下の場合に、売電タイミングを決定する。これにより、不足量Ｔｇに対して総蓄電量Ｔｄの割合が低い場合に売電を行うことが出来る。この場合、他の需要家による蓄電量も少ないため、より高い価格で売電することが出来る。
（実施の形態３）
次に、本発明にかかる実施の形態３における充電タイミング最適制御システムについて説明する。
本実施の形態３の売電タイミング最適制御システム１０は、実施の形態１と同様の構成であるが、制御動作が異なる。そのため、本相違点を中心に説明する。
【００７６】
＜動作＞
図７は、本実施の形態の売電タイミング最適制御システム１０の動作を示すフロー図である。図８は、総蓄電量Ｔｄ、総需要量Ｔａ、および総発電量Ｔｂの時間経過の予測データを示すグラフである。図８には、需要家Ａ２０、Ｂ３０、Ｃ４０による総需要量Ｔａが実線で示されている。また、図８には、需要家Ａ２０、Ｂ３０、Ｃ４０による総発電量Ｔｂが一点鎖線で示されている。また、図８には、現在時刻の総蓄電量Ｔｄと、蓄電量予測部１６によって予測される時刻（ｉ）、時刻（ｉｉ）、時刻（ｉｉｉ）および時刻（ｉｖ）での総蓄電量Ｔｄおよび需要家Ａ２０の蓄電量ｄが棒グラフによって示されている。図８の時刻（ｉｉｉ）までのグラフは図３と同様である。
【００７７】
図７に示すように、ステップＳ１１〜Ｓ１７までは、実施の形態１と同様である。ステップＳ１７において、タイミング決定部１４が、時刻（ｉｉ）における総需要量Ｔａから総発電量Ｔｂを差し引いた不足量Ｔｇに対して、時刻（ｉｉ）における総蓄電量Ｔｄの割合が所定値β以下であると判定した場合、制御はステップＳ３９へと進む。
ステップＳ３９においてタイミング決定部１４は、総蓄電量Ｔｄに対する需要家Ａの蓄電量ｄの割合が所定値δ以上であるか否かの判定を行う。ここで、所定値δとしては、例えば０．５（５０％）と設定することが出来る。
【００７８】
図８に示すように、時刻（ｉｉｉ）では、供給可能な総電力量Ｔｆ（時刻（ｉｉｉ）における総蓄電量Ｔｄ＋総発電量Ｔｂ）の時刻（ｉｉｉ）における総需要量Ｔａに対する割合は所定値α（０．８）以下であり、不足量Ｔｇに対して、時刻（ｉｉｉ）における総蓄電量Ｔｄの割合が所定値β（０．５）以下になっている。しかしながら、時刻（ｉｉｉ）では、需要家Ａ２０の蓄電量ｄの総蓄電量Ｔｄに対する割合は、所定値δ（０．５）よりも低い値であるため、タイミング決定部１４は、時刻（ｉｉｉ）を売電タイミングに決定せず、保留する。
【００７９】
次に、時刻（ｉｖ）では、供給可能な総電力量Ｔｆ（時刻（ｉｖ）における総蓄電量Ｔｄ＋総発電量Ｔｂ）の割合は、０．８（所定値α）以下であり、不足量Ｔｇに対する時刻（ｉｖ）における総蓄電量Ｔｄの割合が所定値β（０．５）以下になっている。そして、時刻（ｉｖ）では、総蓄電量Ｔｄに対する需要家Ａの蓄電量ｄの割合は所定値δ（０．５）以上であるため、タイミング決定部１４は、ステップＳ１８において、時刻（ｉｖ）を売電タイミングに決定する。なお、上記ステップＳ１６〜Ｓ２０、Ｓ３９が、タイミング決定ステップの一例に対応する。
【００８０】
以上のように、本実施の形態３の売電タイミング最適制御システム１０では、総蓄電量Ｔｄに対する需要家Ａの蓄電量ｄの割合が多いときを売電タイミングとして設定する。蓄電量の割合が高い需要家が、電力の価格設定を行える権利を持つ場合には、需要家Ａが有利なタイミングで売電を行うことが出来る。
［他の実施形態］
以上、本発明の一実施形態について説明したが、本発明は上記実施形態に限定されるものではなく、発明の要旨を逸脱しない範囲で種々の変更が可能である。
【００８１】
（Ａ）
上記実施の形態１〜３では、本発明に係る売電タイミング最適制御方法として、図２、図５および図７に示すフローチャートに従って、売電タイミング最適制御方法を実施する例を挙げて説明したが、これに限定されるものではない。
例えば、図２、図５および図７に示すフローチャートに従って実施される売電タイミング最適制御方法をコンピュータに実行させる売電タイミング最適制御プログラムとして、本発明を実現しても良い。
【００８２】
また、売電タイミング最適制御プログラムの一つの利用形態は、コンピュータにより読取可能な、ＲＯＭ等の記録媒体に記録され、コンピュータと協働して動作する態様であってもよい。
また、売電タイミング最適制御プログラムの一つの利用形態は、インターネット等の伝送媒体、光・電波・音波などの伝送媒体中を伝送し、コンピュータにより読みとられ、コンピュータと協働して動作する態様であってもよい。
【００８３】
また、上述したコンピュータは、ＣＰＵ等のハードウェアに限らずファームウェアや、ＯＳ、更に周辺機器を含むものであってもよい。
なお、以上説明したように、売電タイミング最適制御方法はソフトウェア的に実現してもよいし、ハードウェア的に実現しても良い。
また、売電タイミング最適制御システム１０は、クラウドコンピューティングシステムにおける仮想サーバであってもよく、売電タイミング最適制御プログラムが仮想サーバによって実行されてもよい。
【００８４】
（Ｂ）
上記実施の形態では、需要家群６０には、需要家Ａ２０、Ｂ３０、Ｃ４０に示すように、蓄電池と発電装置の双方を所有している需要家のみが含まれているが、蓄電池と発電装置のうち片方のみを所有している需要家が含まれていてもよいし、双方とも所有していない需要家が含まれていてもよい。
【００８５】
（Ｃ）
上記実施の形態３では、実施の形態１で説明した図２に示すフロー図にステップＳ３９を付加しているが、実施の形態２で説明した図５に示すフロー図にステップＳ３９を付加しても良い。
（Ｄ）
上記実施の形態１、３では、ステップＳ１６およびステップＳ１７の双方を満足するときを売電タイミングに決定しているが、ステップＳ１６またはステップＳ１７のどちらか一方のみを満たすときを売電タイミングに決定してもよい。
また、実施の形態２では、ステップＳ２６およびステップＳ１７の双方を満足するときを売電タイミングとして決定しているが、ステップＳ２６またはステップＳ１７のどちらか一方のみを満たすときを売電タイミングに決定してもよい。
【００８６】
（Ｅ）
また、上記実施の形態３では、ステップＳ１６、Ｓ１７、Ｓ３９の全てを満足したときを売電タイミングに決定しているが、全てを満足するときに限らなくても良く、いずれか１つのみを満足したときを売電タイミングとして決定してもよく、２つのステップを適宜組み合わせ、それらを満足したときを売電タイミングとして決定してもよい。
【００８７】
（Ｆ）
上記実施の形態１〜３では、売電タイミング最適制御システム１０、１００は、需要家が所有する通信部（例えば、通信部２７）を介して各々の需要家の蓄電量を取得しているが、これに限定されるものではない。例えば、各々の需要家が所有するスマートメータから、売電タイミング最適制御システム１０、１００の通信部１１が蓄電量を取得しても良い。
【００８８】
（Ｇ）
上記実施の形態１〜３および上記（Ｇ）で設定した所定値α、所定値β、所定値γ、所定値δ、所定値ηは、上述した値に限定されるものではないが、１（１００％）よりも小さい値に設定される。
（Ｈ）
上記実施の形態１〜３では、ステップＳ１７において、不足量Ｔｇに対して総蓄電量Ｔｄが第２所定値β以上である場合、売電タイミングの決定のフローに進めるが、これに限らなくても良い。例えば、不足量Ｔｇに対して供給可能な電力量の総和Ｔｆが所定値以上である場合に売電タイミングの決定のフローに進めるような制御であってもよい。
【００８９】
（Ｉ）
上記実施の形態３では、ステップＳ３９において、需要家群６０の総蓄電量Ｔｄに対する需要家Ａの蓄電量ｄの割合が、所定値δ以上になるときを売電タイミングとして決定しているが、これに限られるものではない。例えば、ステップＳ３９において、需要家群６０の供給可能な電力量の総和Ｔｆに対する需要家Ａの供給可能な電力量ｆに対する割合が、所定値以上になるときを売電タイミングとして決定してもよい。
【００９０】
（Ｊ）
上記実施の形態１〜３では、需要家群需要量予測部１２ｂは、需要家需要量予測部１２ａで予測された値を合算して需要家群６０における総需要量を予測しているが、これに限らなくてもよい。例えば、需要家毎に予測した値を合算せず、需要家群６０全体としての需要を予測してもよい。
【００９１】
また、需要家群発電量予測部１５ｂは、需要家発電量予測部１５ａで予測された値を合算して需要家群６０における総発電量を予測しているが、これに限らなくてもよい。例えば、需要家毎に予測した値を合算せず、需要家群６０全体としての発電量を予測してもよい。
また、需要家群蓄電量予測部１６ｂは、需要家蓄電量予測部１６によって予測された需要家毎の蓄電量を合算せずに、需要家群６０全体として予測された需要量と発電量を用いて予測しても良い。
【００９２】
（Ｋ）
上記実施形態１〜３では、需要家Ａ２０、需要家Ｂ３０、需要家Ｃ４０が所有する発電装置として、ソーラーパネル２１、３１、４１（太陽光発電装置）を用いた例を挙げて説明したが、これに限定されるものではない。
例えば、複数の需要家が所有する発電装置として、風力発電装置、地熱発電装置等の他の発電装置を用いてもよい。
【産業上の利用可能性】
【００９３】
本発明の売電タイミング最適制御システム、売電タイミング最適制御方法および売電タイミング最適制御プログラムは、有利な売電のタイミングを決定することが可能な効果を有し、蓄電池および発電装置を所有する需要家などに対して有用である。
【符号の説明】
【００９４】
１０    ：売電タイミング最適制御システム
１１    ：通信部（蓄電量取得部の一例）
１２    ：需要量予測部
１３    ：供給量予測部
１４    ：タイミング決定部
１５    ：発電量予測部
１６    ：蓄電量予測部
１７    ：合算部（算出部の一例）
２１    ：ソーラーパネル
２２    ：太陽光発電用電力変換装置
２２ａ  ：発電電力用電力センサ
２３    ：蓄電装置
２３ａ  ：蓄電電力用電力センサ
２４    ：負荷
２４ａ  ：負荷用電力センサ
２５    ：分電盤
２６    ：ＥＭＳ
２６ａ  ：蓄電量収集部
２７    ：通信部
２８    ：スマートメータ
３１    ：ソーラーパネル
３３    ：蓄電装置
４０    ：系統
４１    ：ソーラーパネル
４３    ：蓄電装置
５０    ：系統
６０    ：需要家群
１００  ：売電タイミング最適制御システム
Ａ２０  ：需要家
Ｂ３０  ：需要家
Ｃ４０  ：需要家
Ｔａ    ：総需要量
Ｔｂ    ：総発電量
Ｔｄ    ：総蓄電量
Ｔｆ    ：供給可能総電力量
Ｔｇ    ：不足量
ａ      ：需要量
ａｓ    ：積算需要量
ｂ      ：発電量
ｂｓ    ：積算発電量
ｄ      ：蓄電量
ｆ      ：電力量
α      ：所定値（第１所定値の一例）
β      ：所定値（第３所定値の一例）
γ      ：所定値（第４所定値の一例）
δ      ：所定値（第２所定値の一例）
【図１】
0006384502.tif 000002
【図２】
0006384502.tif 000003
【図３】
0006384502.tif 000004
【図４】
0006384502.tif 000005
【図５】
0006384502.tif 000006
【図６】
0006384502.tif 000007
【図７】
0006384502.tif 000008
【図８】
0006384502.tif 000009